(57)【要約】      （修正有）【課題】仕切壁が観音開き型扉の干渉回避用隙間から移動し、庫内から干渉回避用隙間を塞ぐ遮蔽物がないときも、取手用回動式ハンドルと連動して、開口部用扉パッキンの磨耗を回避し観音開き型扉を開閉でき、気密性と断熱性を確保する温冷配膳車を提供する。【解決手段】取手用回動式ハンドル２０−ｈに連動するワイヤー１９で、開口部用扉パッキンの磁石１５−ｍｇを連結し、配膳作業者の開閉動作で密着した双方の磁石１５−ｍｇを磁力圏外にし、再閉鎖時までは開口部用扉パッキン自体の弾性変形で干渉回避用隙間を維持させ、再び双方の磁石１５−ｍｇが対面した時に磁力圏内になり、双方が密着し気密性と断熱性を確保する開口部用扉パッキンと取手用回動式ハンドル２０−ｈを装着した観音開き型扉を備える温冷配膳車。【選択図】図２
2015087097.tif 000002
【特許請求の範囲】
【請求項１】
温かいメニューと冷たいメニューを一枚のトレイに搭載し、トレイ上を前後に横断する仕切壁で温蔵域と冷蔵域に区分し、メニューの変更により温蔵域と冷蔵域の比率を変更するため、仕切壁を左右に移動でき、外気を遮蔽するため、観音開き型扉の周囲の扉枠に筐体方向パッキンを備え、観音開き型扉のヒンジの有る方の筐体方向パッキンを除く他の３辺の筐体方向パッキンには磁石を内蔵し、断熱性を高めるための二重ガラスを備える分厚い構造の観音開き型扉となるため、観音開き型扉の開閉には、双方の観音開き型扉のヒンジを中心とする開口部の開閉半径が、互いに干渉しないように、開口部の干渉回避用隙間が必要となる箱型の温冷配膳車であって、メニューの変更により温蔵域と冷蔵域の比率を変更するため、仕切壁が開口部から別の場所に移動した場合に、空洞となる干渉回避用隙間を塞ぐため、双方の観音開き型扉の開口部の縦扉枠の互いに対向する面に、頂部の内面に磁石を内蔵した開口部用扉パッキンを設け、また開口部用パッキンのある縦扉枠の二重ガラスのある方向の縦扉枠の上端部と下端部に、外気側面に近接する位置に支点を持つ取手用回動式ハンドル用ヒンジを設け、上下の取手用回動式ハンドル用ヒンジの間に、支点を中心に観音開き型扉の開閉時に配膳作業者の指が触る側の腕の端部を力点とし、支点を挟んで筐体側に向かう腕の端部を作用点とし、常時は作用点のある腕が開口部用扉パッキンと平行になるように、また、力点の有る腕が観音開き型扉の外気側の面より外に突出しないように、バネで伏勢された取手用回動式ハンドルを設け、取手用回動式ハンドルと開口部用扉パッキンに挟まれた縦扉枠に複数個の貫通穴をあけて、作用点と開口部用扉パッキンの磁石間をワイヤーで水平に連結し、ワイヤーの長さは、左右の観音開き型扉が閉じて、互いに磁力圏内に入り、開口部用扉パッキンに内蔵する磁石が頂部を伴い、開口部用扉パッキン自体を弾性変形させて伸びて互いの頂部が密着できる長さとし、また、取手用回動式ハンドルが作業者の開閉動作により観音開き型扉を開放方向にワイヤーを伴って上下の取手用回動式ハンドル用ヒンジ上に設けた回動ストッパーまで回動したときは、ワイヤーが磁石と頂部を伴って分離する長さとし、作業者がさらに開放作業を継続したときは、観音開き型扉の開口部は磁力圏外になり、磁力圏外になった以後は、開口部用扉パッキンが弾性変形して収縮し双方の観音開き型扉の開閉半径の干渉が起きない位置を保持し、再び作業者が、観音開き型扉を閉鎖するために取手用回動式ハンドルの作用点の腕を戻した時は、ワイヤーは、開口部用扉パッキンの磁石方向に移動するが、撓むのみで開口部用扉パッキンの磁石を反対側の開口部用扉パッキンの磁石方向に突き出さないため、双方の開口部用扉パッキンの間には干渉回避用隙間が維持された状態を保つことができるので、観音開き型扉の閉鎖中も、開口部用扉パッキンの磨耗を回避して観音開き型扉を完全に閉じることが可能となり、互いの観音開き型扉が完全に閉じて、開口部用扉パッキンの磁石が対面した後に磁力圏内になり、開口部用扉パッキンの磁石が頂部を伴って密着し、干渉回避用隙間を開閉できる取手用回動式ハンドルを備える温冷配膳車。
【発明の詳細な説明】
【技術分野】
【０００１】  本発明は、温かいメニューと冷たいメニューを載せた、一枚のトレイ上を前後に横断する仕切壁によって、温蔵域と冷蔵域に区分する箱型の温冷配膳車であって、外気を観音開き型扉で遮蔽する温冷配膳車に関するものである。
【背景技術】
【０００２】  病院や介護施設で、温かいメニューと冷たいメニューを喫食者へ運ぶため、トレイ上を前後に横断する仕切壁で温蔵域と冷蔵域に区分し、外気から温蔵域と冷蔵域を遮蔽するため、仕切壁の端面の中心線から左右に開閉する開口部を持つ、観音開き型扉を備へ、メニューの変更による温蔵域と冷蔵域の比率の変化に対応し、仕切壁の位置を、左右に変更できる、箱型の温冷配膳車が知られている。（例えば特許文献１参照）。【０００３】  そして、筐体面と対面する観音開き型扉の扉枠の４辺に、筐体方向パッキンを備え、うち観音開き型扉のヒンジが有る方の縦扉枠の筐体方向パッキンを除く、他の３辺の筐体方向パッキン内部には磁石を内蔵し、筐体側框金属面や仕切壁の端面に密着して、温蔵域と冷蔵域の気密性と断熱性を確保した温冷配膳車が一般的である
【先行技術文献】
【特許文献】
【０００４】
【特許文献１】特開平９−１９１９４９号公報
【特許文献２】特許第２９６７２２６号公報
【発明の概要】
【発明が解決しようとする課題】
【０００５】  しかしながら、観音開き型扉は、断熱性を高めるため二重ガラスを備える分厚い構造となっているため、観音開き型扉の開閉には、開口部の開閉半径が干渉しないように、干渉回避用隙間が必要である。したがって、メニューの変更に対応して仕切壁の位置が開口部から、別の場所に移動したとき、干渉回避用隙間を、庫内側背面から塞ぐ遮蔽物を失い、外気が激しく流入して、気密性と断熱性を失う課題があった。
【課題を解決するための手段】
【０００６】上記課題を解決するために、この発明は以下の手段を提供している。すなわち、温かいメニューと冷たいメニューを一枚のトレイに搭載し、トレイ上を前後に横断する仕切壁で温蔵域と冷蔵域に区分し、メニューの変更により温蔵域と冷蔵域の比率を変更するため、仕切壁を左右に移動でき、外気を遮蔽するため、観音開き型扉の周囲の扉枠に筐体方向パッキンを備え、観音開き型扉のヒンジが有る方の筐体方向パッキンを除く他の３辺の筐体方向パッキンには磁石を内蔵し、断熱性を高めるための二重ガラスを備える分厚い構造の観音開き型扉となるため、観音開き型扉の開閉には、双方の観音開き型扉のヒンジを中心とする開口部の開閉半径が、互いに干渉しないように、開口部の干渉回避用隙間が必要となる箱型の温冷配膳車であって、メニューの変更により温蔵域と冷蔵域の比率を変更するため、仕切壁が開口部から別の場所に移動した場合に、空洞となる干渉回避用隙間を塞ぐため、双方の観音開き型扉の開口部の縦扉枠の互いに対向する面に、頂部の内面に磁石を内蔵した開口部用扉パッキンを設け、また開口部用パッキンのある縦扉枠の二重ガラスのある方向の縦扉枠の上端部と下端部に、外気側面に近接する位置に支点を持つ取手用回動式ハンドル用ヒンジを設け、上下の取手用回動式ハンドル用ヒンジの間に、支点を中心に観音開き型扉の開閉時に配膳作業者の指が触る側の腕の端部を力点とし、支点を挟んで筐体側に向かう腕の端部を作用点とし、常時は作用点のある腕が開口部用扉パッキンと平行になるように、また、力点のある腕が、観音開き型扉の外気側の面より外に突出しないように、バネで伏勢された取手用回動式ハンドルを設け、取手用回動式ハンドルと開口部用扉パッキンに挟まれた縦扉枠に複数個の貫通穴をあけて、作用点と開口部用扉パッキンの磁石間をワイヤーで水平に連結し、ワイヤーの長さは、左右の観音開き型扉が閉じて、互いに磁力圏内に入り、開口部用扉パッキンに内蔵する磁石が頂部を伴い、開口部用扉パッキン自体を弾性変形させて伸びて互いの頂部が密着できる長さとし、また、取手用回動式ハンドルが作業者の開閉動作により観音開き型扉を開放方向にワイヤーを伴って上下の取手用回動式ハンドル用ヒンジ上に設けた回動ストッパーまで回動したときは、ワイヤーが磁石と頂部を伴って分離する長さとし、作業者がさらに開放作業を継続したときは、観音開き型扉の開口部は磁力圏外になり、磁力圏外になった以後は、開口部用扉パッキンが弾性変形して収縮し双方の観音開き型扉の開閉半径の干渉が起きない位置を保持し、再び作業者が、観音開き型扉を閉鎖するために取手用回動式ハンドルの作用点の腕を戻した時は、ワイヤーは、開口部用扉パッキンの磁石方向に移動するが、撓むのみで開口部用扉パッキンの磁石を反対側の開口部用扉パッキンの磁石方向に突き出さないため、双方の開口部用扉パッキンの間には干渉回避用隙間が維持された状態を保つことができるので、観音開き型扉の閉鎖中も、開口部用扉パッキンの磨耗を回避して観音開き型扉を完全に閉じることが可能となり、互いの観音開き型扉が完全に閉じて、開口部用扉パッキンの磁石が対面した後に磁力圏内になり、開口部用扉パッキンの磁石が頂部を伴って密着し、干渉回避用隙間を開閉できる取手用回動式ハンドルを備える温冷配膳車を提供することを目的とする。
【発明の効果】
【０００７】  本発明によれば、メニューの変更に対応するため仕切壁が、双方の観音開き型扉の開口部の干渉回避用隙間の庫内側背面から移動し、開口部の干渉回避用隙間を塞ぐ遮蔽物を失った場合においても、また開口部に仕切壁がある場合においても、開口部用扉パッキンの磨耗を回避して、開口部の干渉回避用隙間を開閉し、気密性と断熱性を確保できる温冷配膳車を構成でき、また、温冷配膳車の搬送時に障害となる観音開き型扉の外気側の面より外側への突出物のない温冷配膳車を構成できる。
【図面の簡単な説明】
【０００８】
【図１】本発明の温冷配膳車の側面図である。
【図２】本発明の温冷配膳車の観音開き型扉の開口部のＡ−Ａ’断面において開口部用扉パッキンの磁石が、磁力圏内に入り、密着した状態の縦扉枠部の拡大図である。
【図３】本発明の温冷配膳車の観音開き型扉の開口部のＡ−Ａ’断面において取手用回動式ハンドルが回動ストッパーまで回動した状態の断面図である。
【図４】本発明の温冷配膳車の観音開き型扉の開口部のＡ−Ａ’断面において取手用回動式ハンドルが回動ストッパーまで回動した後に、取手用回動式ハンドルが元の位置に戻り、ワイヤーが撓んだ状態の断面図である。
【発明を実施するための形態】
【０００９】  以下、図面を参照して本発明を説明する。すなわち、温かいメニューと冷たいメニューを一枚のトレイ２に搭載し、トレイ２上を前後に横断する仕切壁４で温蔵域５と冷蔵域６に区分し、メニューの変更により温蔵域５と冷蔵域６の比率を変更するため、仕切壁４を左右に移動でき、外気を遮蔽するため、観音開き型扉７の周囲の扉枠に筐体方向パッキン９を備え、観音開き型扉７のヒンジ１１が有る方の筐体方向パッキン８を除く他の３辺の筐体方向パッキン９には磁石９−ｍｇを内蔵し、断熱性を高めるための二重ガラス２６を備える分厚い構造の観音開き型扉７となるため、観音開き型扉７の開閉には、双方の観音開き型扉７のヒンジ１１を中心とする開口部１３の開閉半径１０が、互いに干渉しないように、開口部１３の干渉回避用隙間３が必要となる箱型の温冷配膳車１であって、メニューの変更により温蔵域５と冷蔵域６の比率を変更するため、仕切壁４が開口部１３から別の場所に移動した場合に、空洞となる干渉回避用隙間３を塞ぐため、双方の観音開き型扉７の開口部１３の縦扉枠１４の互いに対向する面１６に、頂部１８の内面に磁石１５−ｍｇを内蔵した開口部用扉パッキン１５を設け、また開口部用パッキンのある縦扉枠１４の二重ガラス２６のある方向の縦扉枠１４の上端部と下端部に、外気側面に近接する位置に支点２１を持つ取手用回動式ハンドル用ヒンジ２１−ｈｇを設け、上下の取手用回動式ハンドル用ヒンジ２１−ｈｇの間に、支点２１を中心に観音開き型扉７の開閉時に配膳作業者の指が触る側の腕２０の端部を力点２０−ｐとし、支点２１を挟んで筐体側に向かう腕２２の端部を作用点２２−ｐとし、常時は作用点２０−ｐのある腕２２が開口部用扉パッキン１５と平行になるように、また、力点２０−ｐのある腕２０が、観音開き型扉７の外側の面より外に突出しないように、バネ２３で伏勢された取手用回動式ハンドル２０−ｈを設け、取手用回動式ハンドル２０−ｈと開口部用扉パッキン１５に挟まれた縦扉枠１４に複数個の貫通穴２５をあけて、作用点と開口部用扉パッキン１５の磁石間をワイヤー１９で水平に連結し、ワイヤーの長さは、左右の観音開き型扉７が閉じて、互いに磁力圏内に入り、開口部用扉パッキン１５に内蔵する磁石１５−ｍｇが頂部１８を伴い、開口部用扉パッキン１５自体を弾性変形１７させて伸びて互いの頂部１８が密着できる長さとし、また、取手用回動式ハンドル２０−ｈが作業者の開閉動作により観音開き型扉７を開放方向にワイヤー１９を伴って上下の取手用回動式ハンドル用ヒンジ２１−ｈｇ上に設けた回動ストッパー２４まで回動したときは、ワイヤー１９が磁石１９−ｍｇと頂部１８を伴って分離する長さとし、作業者がさらに開放作業を継続したときは、観音開き型扉７の開口部１３は磁力圏外になり、磁力圏外になった以後は、開口部用扉パッキン１５が弾性変形して収縮し双方の観音開き型扉７の開閉半径１０の干渉が起きない位置を保持し、再び作業者が、観音開き型扉７を閉鎖するために取手用回動式ハンドル２０−ｈの作用点２０−ｐの腕２０を戻した時は、ワイヤー１９は、開口部用扉パッキン１５の磁石１５−ｍｇ方向に移動するが、撓むのみで開口部用扉パッキン１５の磁石１５−ｍｇを反対側の開口���用扉パッキン１５の磁石１５−ｍｇ方向に突き出さないため、双方の開口部用扉パッキン１５の間には干渉回避用隙間３が維持された状態を保つことができるので、観音開き型扉７の閉鎖中も、開口部用扉パッキン１５の磨耗を回避して観音開き型扉７を完全に閉じることが可能となり、互いの観音開き型扉７が完全に閉じて、開口部用扉パッキン１５の磁石１５−ｍｇが対面した後に磁力圏内になり、開口部用扉パッキン１５の磁石１５−ｍｇが頂部１８を伴って密着し、干渉回避用隙間３を開閉できる取手用回動式ハンドル２０−ｈを備える温冷配膳車１を提供できる。
【実施例】
【００１０】  第一の実施例として上記発明を実施するにおいて、図２は、双方の観音開き型扉７の縦扉枠１４に対向する面１６にそれぞれ開口部用扉パッキン１５を設け、開口部用扉パッキンに内蔵する磁石１５−ｍｇと取手用回動式ハンドル２０−ｈの作用点２０−ｐ間を、縦扉枠に設けた貫通穴２５を介してワイヤー１９で連結し、取手用回動式ハンドルが、観音開き型扉７が閉鎖して双方の磁石１５−ｍｇが磁力圏内に入り、開口部用扉パッキンの頂部１８を伴って開口部用扉パッキンが弾性変形１７して伸びて互いに密着して干渉回避用隙間３を塞いだものである。図３は、取手用回動式ハンドル２０−ｈが回動ストッパー２４まで回動し、ワイヤー１９が連結された開口部用扉パッキン１５の磁石１５−ｍｇを分離して磁力圏外にし、開口部用扉パッキンの頂部１８を伴って、縦扉枠方向に開口部用扉パッキンを収縮させたものである。図４は、作業者が開放された観音開き型扉を再び閉鎖する際に、取手用回動式ハンドル２０−ｈの作用点側の腕２２が、開口部用扉パッキン１５と平行な位置にバネ２３により伏勢されたときに、ワイヤー１９は撓むのみで開口部用扉パッキンに内蔵する磁石１５−ｍｇを、反対側の開口部用扉パッキンの方向に突き出さないので、互いに摩擦することなく対面した状態をあらわす。その後に図２の状態となる。【００１１】  第二の実施例として上記発明を実施するにおいて、図２の開口部用扉パッキン１５の何れか一方の内蔵する磁石１５−ｍｇを、磁石の代わりに磁性体金属にしても良い。
【符号の説明】
【００１２】温冷配膳車                                １
トレイ                                    ２
干渉回避用隙間                            ３
仕切壁                                    ４
温蔵域                                    ５
冷蔵域                                    ６
観音開き型扉                              ７
観音開き型扉のヒンジ側の筐体方向パッキン  ８
筐体方向パッキン                          ９
開口部用扉パッキン                      １５
開口部用扉パッキンに内蔵する磁石        １５−ｍｇ
縦扉枠の互いに対向する面                １６
開口部用扉パッキンの弾性変形            １７
開口部用扉パッキンの頂部                １８
取手用回動式ハンドル                    ２０−ｈ
ワイヤー                                １９
取手用回動式ハンドルの力点側の腕        ２０
取手用回動式ハンドルの上下のヒンジ      ２１−ｈｇ
取手用回動式ハンドルの作用点側の腕      ２２
バネ                                    ２３
回動ストッパー                          ２４
貫通穴                                  ２５
二重ガラス                              ２６
【図１】
2015087097.tif 000003
【図２】
2015087097.tif 000004
【図３】
2015087097.tif 000005
【図４】
2015087097.tif 000006